(57)【要約】【課題】  被取付部材用レール８と間仕切り部材１９とを連結する連結具２６を安価なものとする。【解決手段】  被取付部材用レール８と間仕切り部材１９とを連結する連結具２６は、図４に示すごとく、板状本体２７と、板状本体２７に設けられた、被取付部材用レール８の嵌合溝１６に嵌まる嵌合突起２８と、板状本体２８に前方突出状に設けられたねじ棒２９と、ねじ棒２９にねじ嵌められるナット３０とを有している。ねじ棒２９とナット３０とは安価である。【選択図】  図４
2005097889.tif 000002
【特許請求の範囲】
【請求項１】
長手方向を左右方向に向けるようにして部屋の側壁に設けられた、開口を前方に向けた嵌合溝を有する被取付部材用レールと、被取付部材用レールに近接して設けられる被取付部材とを連結する連結具であって、板状本体と、板状本体に設けられた、被取付部材用レールの嵌合溝に嵌まる嵌合突起と、板状本体に前方突出状に設けられたねじ棒と、ねじ棒にねじ嵌められるナットとを有する連結具。
【発明の詳細な説明】
【技術分野】
【０００１】
本発明は、長手方向を左右方向に向けるようにして部屋の側壁に設けられた、開口を前方に向けた嵌合溝を有する被取付部材用レールと、被取付部材用レールに近接して設けられる被取付部材とを連結する連結具に関する。
【背景技術】
【０００２】
従来、この種の連結具として以下の如きものは知られている。
板状本体と、板状本体に設けられた、被取付部材用レールの嵌合溝に嵌まる嵌合突起と、板状本体に前方突出状に設けられた、先端に係合突起を有する連結用シャフトと、連結用シャフトの係合突起と係合・分離自在となされた回転係合部材とを有するものは知られている。
【特許文献１】特開２００３−１８４，２６４号公報
【発明の開示】
【発明が解決しようとする課題】
【０００３】
前記従来の連結具には以下の如き欠点があった。
連結用シャフトと、連結用シャフトの係合突起と係合・分離自在となされた回転係合部材とは特殊な部材であるため、コスト高であるという欠点があった。
【課題を解決するための手段】
【０００４】
本発明は前記欠点を解消するために以下の如き手段を採用した。
請求項１の発明は、長手方向を左右方向に向けるようにして部屋の側壁に設けられた、開口を前方に向けた嵌合溝を有する被取付部材用レールと、被取付部材用レールに近接して設けられる被取付部材とを連結する連結具であって、板状本体と、板状本体に設けられた、被取付部材用レールの嵌合溝に嵌まる嵌合突起と、板状本体に前方突出状に設けられたねじ棒と、ねじ棒にねじ嵌められるナットとを有するものである。
【発明の効果】
【０００５】
本発明は前記した如き構成によって以下の如き効果を奏する。
請求項１の発明によれば、ねじ棒とナットとが安価であるので、従来に比較してコストの低減を図ることが出来る。
【発明を実施するための最良の形態】
【０００６】
以下に本発明の実施の形態を説明する。
なお、この説明において、前とは図１紙面表側を、後とは同裏側をいい、左とは図１左側を、右とは同図右側をいう。
【０００７】
部屋１の側壁２に、壁構成部材５からなる壁体４が施工・設置されている。
前記壁構成部材５は、複数の壁パネル７と、複数の被取付部材用レール８と、下縁材９と、上縁材１０と、左右縁材１１とを有している。壁構成部材５の被取付部材用レール８は、長手方向を左右方向に向けるようにして、壁パネル７と壁パネル７との間に介在させられる。図４に示すごとく、被取付部材用レール８に設けられた上下の嵌合突起１３が、壁パネル７の上下部の嵌合溝１４に嵌められている。被取付部材用レール８はくぎ１２（図４参照）により側壁２に固定されている。また、下縁材９、上縁材１０、左右縁材１１は、公知の固定手段により側壁２に固定されている。
【０００８】
前記被取付部材用レール８には、その長手方向に沿って、開口を前方に向けた嵌合溝１６が形成されている。前記嵌合溝１６の断面形状は、前方に向かって下り傾斜した、下方に凸となる湾曲弧状をしている（図４参照）。
【０００９】
前記被取付部材用レール８に近接して設けられるびょうぶ状の間仕切り部材１９（特許請求の範囲でいう「被取付部材」）について説明する。
前記間仕切り部材１９は、被取付部材用レール８に近接して配される連結板２０と、連結板２０に蝶番（図示略）を介して連結されると共に下部に旋回キャスター２２を有する第１の構成板２１と、この第１の構成板２１に蝶番（図示略）を介して連結されると共に下部に旋回キャスター２２を有する第２の構成板２１と、この第２の構成板２１に蝶番（図示略）を介して連結されると共に下部に旋回キャスター２２を有する第３の構成板２１とを有している。
前記第１の構成板２１は蝶番の作用により連結板２０に対して水平揺動自在となされ、各構成板２１は、蝶番の作用により全体としてびょうぶのように折り畳み可能となされている。
【００１０】
前記各構成板２１には、図２の状態で長手方向を前後方向に向けた状態となる所要本の被取付部材用レール２３が設けられている。前記被取付部材用レール２３には、嵌合溝１６と同様の形状の嵌合溝２４が形成されている（図５参照）。
【００１１】
前記被取付部材用レール８と間仕切り部材１９とを連結する連結具２６は、図３及び図４に示すごとく、板状本体２７と、板状本体２７に設けられた、被取付部材用レール８の嵌合溝１６に嵌まる嵌合突起２８と、板状本体２８に前方突出状に設けられたねじ棒２９と、ねじ棒２９にねじ嵌められるナット３０とを有している。
【００１２】
次に間仕切り部材１９の取り付け方法を説明する。
まず、一番下の被取付部材用レール８及び下から３番目の被取付部材用レール８の嵌合溝１６に連結具２６の嵌合突起２８を嵌める。その具体的操作を述べれば以下の通りである。板状本体２７の下端が壁パネル７から離れるように傾斜状として、嵌合突起２８を嵌合溝１６の開口に対向させ、その後、嵌合突起２８を嵌合溝１６に嵌める。そうすることにより、板状本体２７は垂下状となると共に嵌合突起２８は嵌合溝１６から抜けなくなる。なお、上下の連結具２６は、上下方向に並ぶように、且つ、連結具２６に、後述するようにして間仕切り部材１９を取り付けた際、設定位置に間仕切り部材１９が位置するように配慮して、取り付けられる。
その後、ねじ棒２９に対応するようにして連結板２０に設けられた長孔２５を利用して、連結板２０をねじ棒２９（ナット３０は外されている）に嵌める。
その後、ねじ棒２９にナット３０をねじ嵌めて、ナット３０により連結板２０を板状本体２７に押し付ける。
【００１３】
以下に変形例等について説明を加える。
（１）被取付部材用レール８には、公知のごとく、嵌合突起２８を有する棚・収納庫等が取り付けられる。
（２）被取付部材用レール２３には、嵌合突起２８を有する棚・収納庫等が取り付けられる。
（３）被取付部材には、机・収納庫・普通の間仕切り部材等が含まれる。
【図面の簡単な説明】
【００１４】
【図１】本発明の実施の形態を示す中間省略の簡略正面図である。
【図２】図１のＩＩ−ＩＩ線断面図である。
【図３】図１のＡ部分拡大図である。
【図４】図３のＩＶ−ＩＶ線断面図である。
【図５】図２のＶ−Ｖ線拡大断面図である。
【符号の説明】
【００１５】
１  部屋
２  側壁
８  被取付部材用レール
１６  嵌合溝
１９  間仕切り部材（被取付部材）
２６  連結具
２７  板状本体
２８  嵌合突起
２９  ねじ棒
３０  ナット
【図１】
2005097889.tif 000003
【図２】
2005097889.tif 000004
【図３】
2005097889.tif 000005
【図４】
2005097889.tif 000006
【図５】
2005097889.tif 000007